(57)【要約】【課題】構成を簡素化しながらも、外力による変形を抑制できるパイプ支持具を提供することを課題とする。【解決手段】構造物Ｃの側面Ｃ１において少なくとも上下方向に延びるパイプＰを支持する際に用いられ、前記パイプＰの外周面から突出するように設けられるブラケットＢ１と前記構造物Ｃとの間に配置されるものであって、板状であり、前記構造物Ｃへの配置状態にて、前記構造物Ｃの側面Ｃ１から前記パイプＰに向かう突出方向に沿う本体部２と、前記本体部２の一部を前記構造物Ｃの側面Ｃ１に固定するための固定部３と、前記本体部２に対して一体に形成され、前記本体部２から側方に延びる補強部４と、を備えるパイプ支持具である。【選択図】図１
2019190003.tif 000002
【特許請求の範囲】
【請求項１】
構造物の側面において少なくとも上下方向に延びるパイプを支持する際に用いられ、前記パイプの外周面から突出するように設けられるブラケットと前記構造物との間に配置されるものであって、
板状であり、前記構造物への配置状態にて、前記構造物の側面から前記パイプに向かう突出方向に沿う本体部と、
前記本体部の一部を前記構造物の側面に固定するための固定部と、
前記本体部に対して一体に形成され、前記本体部から側方に延びる補強部と、を備えるパイプ支持具。
【請求項２】
前記補強部は、板状であり、前記本体部に対して直交している、請求項１に記載のパイプ支持具。
【請求項３】
前記固定部は、前記本体部の、配置状態にて前記構造物の側となる端部に設けられており、前記構造物に埋設されるボルトが貫通する固定用貫通穴を備える、請求項１または２に記載のパイプ支持具。
【請求項４】
前記補強部は、配置状態にて前記本体部の上端縁にのみ形成され、
前記固定部は、前記本体部と前記補強部とに一体に接続されている、請求項３に記載のパイプ支持具。
【請求項５】
前記本体部の、前記突出方向における先端部には、前記ブラケットを連結するための、前記突出方向に長い長穴を備える、請求項１〜４のいずれかに記載のパイプ支持具。
【発明の詳細な説明】
【技術分野】
【０００１】
本発明は、建築物等の構造物の側面において少なくとも上下方向に延びるパイプを支持する際に用いられるパイプ支持具に関するものである。
【背景技術】
【０００２】
パイプ支持具は、地上高の高い構造物において用いられることがあることから、パイプが受ける風力や地震の揺れ等の外力の影響を受けて変形しないように構成する必要がある。ここで、パイプ支持具の一例として、特許文献１に記載の「縦樋支持構造」が存在している。これは、構造物から突出させた支持部材とパイプとを、板状の連結部材で連結し、更に、支持部材及び連結部材をカバー部材で覆うように構成されている。
【先行技術文献】
【特許文献】
【０００３】
【特許文献１】特開２００７−２０５００７号公報
【発明の概要】
【発明が解決しようとする課題】
【０００４】
しかし、特許文献１に記載の構造では、部品点数が多いこと、また、これに伴い施工が大変であることが問題であった。
【０００５】
そこで本発明は、構成を簡素化しながらも、外力による変形を抑制できるパイプ支持具を提供することを課題とする。
【課題を解決するための手段】
【０００６】
本発明は、構造物の側面において少なくとも上下方向に延びるパイプを支持する際に用いられ、前記パイプの外周面から突出するように設けられるブラケットと前記構造物との間に配置されるものであって、板状であり、前記構造物への配置状態にて、前記構造物の側面から前記パイプに向かう突出方向に沿う本体部と、前記本体部の一部を前記構造物の側面に固定するための固定部と、前記本体部に対して一体に形成され、前記本体部から側方に延びる補強部と、を備えるパイプ支持具である。
【０００７】
この構成によると、本体部と一体に補強部が形成されたことにより、風力や地震の揺れ等の外力に対して有効に対抗できる。
【０００８】
また、前記補強部は、板状であり、前記本体部に対して直交しているものとできる。
【０００９】
この構成によると、板状体が直交して形成されたアングル材等の汎用材料が使用可能である。
【００１０】
また、前記固定部は、前記本体部の、配置状態にて前記構造物の側となる端部に設けられており、前記構造物に埋設されるボルトが貫通する固定用貫通穴を備えるものとできる。
【００１１】
この構成によると、固定部を貫通するボルトを用いて、構造物に対してパイプ支持具を安定的に固定できる。
【００１２】
また、前記補強部は、配置状態にて前記本体部の上端縁にのみ形成され、前記固定部は、前記本体部と前記補強部とに一体に接続されているものとできる。
【００１３】
この構成によると、本体部の下端縁に水が溜まらないようにできるため、補強部による補強がされつつも水はけが良く、パイプ支持具の腐食を抑制できる。
【００１４】
また、前記本体部の、前記突出方向における先端部には、前記ブラケットを連結するための、前記突出方向に長い長穴を備えるものとできる。
【００１５】
この構成によると、長穴により構造物の側面に対してパイプの位置を調整しつつ固定できる。
【発明の効果】
【００１６】
本発明によると、本体部と一体に補強部が形成されたことにより、風力等の外力に対して有効に対抗できる。このため、構成を簡素化しながらも、外力による変形を抑制できる。
【図面の簡単な説明】
【００１７】
【図１】本発明の一実施形態に係るパイプ支持具の使用状態を示す背面図である。
【図２】前記パイプ支持具の使用状態を示す底面図である。
【図３】前記パイプ支持具を示し、（ａ）は正面図であり、（ｂ）は背面図である。
【図４】前記パイプ支持具を示し、（ａ）は平面図であり、（ｂ）は底面図である。
【図５】前記パイプ支持具を示し、（ａ）は右側面図であり、（ｂ）は左側面図である。
【発明を実施するための形態】
【００１８】
次に、本発明につき、一実施形態を取り上げて説明を行う。以下の方向の表現は、図１及び図２に示した使用状態におけるものである。また、構造物Ｃの側面Ｃ１（建築物の壁面等）に近い側を「基端側」とし、パイプＰに近い側を「先端側」とする。
【００１９】
本実施形態のパイプ支持具１は、例えば図１（背面図）及び図２（底面図）に示すようにして使用する。つまり、このパイプ支持具１は、例えば雨水等の排水管として用いられ、構造物Ｃの側面Ｃ１において少なくとも上下方向に延びるパイプＰを支持する際に用いられる。そして、前記パイプＰの外周面から突出するように設けられるブラケットＢ１と前記構造物Ｃとの間に配置される。ブラケットＢ１は、例えば、前記パイプＰの外周面を取り巻くように取り付けられるバンドＢの一部として形成できる。
【００２０】
パイプ支持具１は、本実施形態では構造物Ｃの側面Ｃ１から垂直方向に突出するように設けられたアングル状のものであって、本体部２と、固定部３と、補強部４とを備える。以下、「突出方向」とは、構造物Ｃの側面Ｃ１からパイプＰに向かう方向のことである。
【００２１】
本体部２は、板状であり、構造物Ｃへの配置状態にて（以下同じ）、突出方向に沿う部分である。この本体部２は、突出方向に延びる面であり、かつ、上下方向に沿い延びる面、つまり、側方（より具体的には、構造物Ｃの側面Ｃ１に正対した場合の左右方向）を向いた面２ａを有する（図５（ａ）参照）。すなわち、板状とされた本体部２が垂直方向に配置されている。本実施形態の本体部２は、図３（ａ）（ｂ）に示すように、正面視及び背面視において横長長方形の平板状とされている。
【００２２】
本体部２の先端部には、ブラケットＢ１を連結するための長穴２１を備える。この長穴２１は突出方向に長く形成されている。本実施形態の本体部２は、突出方向に沿って２個の長穴２１，２１を備える。ここで、ブラケットＢ１は、パイプＰの外周面に取り付けられたバンドＢにおいて、パイプＰの外周面に直交するよう設けられており、パイプＰの径方向に沿って並ぶ２個の貫通穴（図示していない）を備える。ブラケットＢ１の各貫通穴を本体部２の各長穴２１に一致させた上で、ボルト・ナットを締結することにより、図１及び図２に示す状態としてパイプ支持具１をブラケットＢ１に固定できる。この構成によると、構造物Ｃの側面Ｃ１に対してパイプＰの位置を調整しつつ固定できるので、側面Ｃ１が多少波打っていても施工可能なため有利である。
【００２３】
固定部３は、本体部２の一部を構造物Ｃの側面Ｃ１に固定するための部分である。この固定部３は、本体部２における基端部に設けられている。本実施形態の固定部３は、本体部２と補強部４とに一体に接続されている。本実施形態の固定部３は、補強部４を構成する板状部の一部が折り曲げられることで補強部４と一体になっており、本体部２に対しては溶接により一体化されている。ただし、一体化するための構成は限定されない。
【００２４】
この固定部３は、構造物Ｃへの配置状態で側面Ｃ１に対向した状態で当接する部分である。固定部３には、アンカーボルト等の、構造物Ｃに埋設される固定ボルト５が貫通する固定用貫通穴３１が設けられている。この固定部３により、パイプ支持具１を安定的に固定できる。また、図１及び図２に示すように、構造物Ｃに対しては固定ボルト５の締結だけ、そして、ブラケットＢ１に対してはボルト・ナットだけで取り付けが可能であるから、多数の部材からなる構成に比べて施工が簡単である。本実施形態では、固定ボルト５として図１及び図２に示すように鍔付きボルトを使用しており、固定用貫通穴３１を貫通した状態で、固定ボルト５の鍔部５１が固定部３における構造物Ｃと逆側の面３ａ（図３（ｂ）、図４（ｂ）参照）を構造物Ｃに向かうように圧接することにより、前記安定的な固定を実現できる。ただし、固定ボルト５の構成はこれに限定されず、例えば一般的な六角ボルトをワッシャと共に使用することもできる。
【００２５】
補強部４は、本体部２に対して一体に形成され、本体部２から（本体部２を基準として）側方に延びる平板状の部分である。このように一体の補強部４により、本体部２だけの構成に比べて強度（具体的には曲げ強度）を向上させることができ、風力や地震の揺れ等の外力に対して有効に対抗できる。本実施形態の補強部４は、本体部２において側方を向いた面２ａに対して直交する方向の一方向に延びており、横断面形状が「Ｌ」字状となっている。このため、アングル材等の汎用材料が使用可能であるから、パイプ支持具１の製造コストを抑制できる点で有利である。また、本実施形態の補強部４の幅寸法は、本体部２の幅寸法と同一とされている。
【００２６】
また、本実施形態の補強部４は、本体部２の上端縁にのみ形成されている。このため、本体部２の下端縁は垂直方向に配置された板状のままの状態となる。すなわち、本体部２の下部に水が溜まらないようにできるため、補強部４による補強がされつつも水はけが良く、パイプ支持具１の腐食を抑制できる点で有利である。更に、下端縁が開放されていることにより、電動工具を使用した施工が行いやすい。
【００２７】
以上、本発明の一実施形態について説明したが、本発明は前記実施形態に限定されるものではなく、本発明の要旨を逸脱しない範囲内において種々の変更を加えることができる。
【００２８】
例えば、パイプ支持具１の支持対象のパイプＰとして、上下方向に延びるものを前述した。しかし、パイプＰの延びる方向は上下方向でなくてもよく、斜め方向であってもよい。また、前記実施形態のパイプ支持具１は、基本的には上下方向に延びるパイプＰに使用するものであるが、水平方向に延びるパイプＰに対して使用することも可能である。また、パイプＰは直管に限られず曲げ管であってもよい。
【００２９】
また、ブラケットＢ１は、前記実施形態のようにバンドＢの一部であることに限られない。例えば、ブラケットＢ１をパイプＰに埋め込む等、何らかの手段によりパイプＰに固定することで、パイプＰの外周面から突出させるようにしてもよい。また、パイプＰとブラケットＢ１とを一体的に形成してもよい。
【００３０】
また、前記実施形態の本体部２や補強部４は平板状とされていたが、湾曲板状とすることもできる。
【００３１】
また、補強部４につき、前記実施形態では本体部２の上端縁にのみ形成されていた。しかし、これに限らず、本体部２の下端縁にのみ形成することもできる。また、本体部２の上端縁及び下端縁の両方に形成し、横断面形状を「コ」の字状とすることもできる。また、本体部２における上下方向の中間部分に形成し、横断面形状を横倒しのＴ字状とすることもできる。
【００３２】
また、前記実施形態の補強部４は、本体部２から側方のうち一方向に延びているものであった。しかし、これに限らず、側方のうち両方向に延びるようにし、横断面形状をＴ字状とすることもできる。更に、本体部２の上端縁及び下端縁の両方に補強部４を形成し、横断面形状を横倒しのＨ字状とすることもできる。
【００３３】
また、前記実施形態の補強部４の幅寸法は、本体部２の幅寸法と同一とされていた。しかしこれに限定されず、異なった幅寸法とすることもできる。また、補強部４を板状ではなく棒状としたり、本体部２の端縁において板厚を大きくした部分、または、波打たせた形状とした部分を補強部４としたりすることもでき、補強部４の形状は限定されない。なお、本体部２に対して補強部４を別体形成することもできるが、溶接等により、現場施工前の段階で両者が一体化されていることが、現場での施工（特に高所での施工）を容易にする点で好ましい。
【００３４】
また、前記実施形態では、パイプ支持具１を構造物Ｃに固定する際に固定ボルト５を用いたが、これに限定されず、ボルト以外の種々の締結手段を用いることができる。また、パイプ支持具１とブラケットＢ１との連結についても、種々の締結手段を用いることができる。また、締結手段に応じ、長穴２１を種々の構成に変更できる。つまり、種々の手段により本体部２とブラケットＢ１を連結してよい。
【符号の説明】
【００３５】
１          パイプ支持具
２          本体部
２ａ        面
２１        長穴
３          固定部
３１        固定用貫通穴
４          補強部
５          固定ボルト
Ｃ          構造物
Ｃ１        （構造物の）側面
Ｐ          パイプ
Ｂ          バンド
Ｂ１        ブラケット
【図１】
2019190003.tif 000003
【図２】
2019190003.tif 000004
【図３】
2019190003.tif 000005
【図４】
2019190003.tif 000006
【図５】
2019190003.tif 000007